(57)【要約】【課題】擁壁の背面距離を小さくして施工コストを低減させることができるばかりか、在来植物（在来種）が遷移するまでの間、仮の緑化部を確保して短期間に育つ植物を植生することにより、在来植物（在来種）が遷移するまでの間、仮の緑化部を確保できる補強土壁工法を提供すること。【解決手段】壁面材３は、複数の略帯状をなす帯部材５が所定間隔毎に接合されて形成され、帯部材５同士の非接合部位が互いに離間されることで土砂を拘束する土砂拘束部７を形成できるジオセル３で構成され、最前列に位置する複数の帯部材３における非接合部位に植生マットを固着し、ジオセル３前面に帯部材５と植生マットで囲まれた空間を形成し、この空間に植生土を盛土する。【選択図】図３
2013053427.tif 000002
【特許請求の範囲】
【請求項１】
壁面材を積層させて擁壁を形成し、該擁壁により土壁を補強する補強土壁工法であって、
前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、最前列に位置する複数の前記帯部材における非接合部位に植生マットを固着し、前記ジオセルの前面に前記帯部材と植生マットで囲まれた空間を形成し、この空間に土砂を盛土することを特徴とする補強土壁工法。
【請求項２】
前記積層されるジオセルの間に、略格子状をなすシート部材で形成されたジオグリッドの前部側を挟み込み、該ジオグリッドの後部側を盛土内に埋設して前記擁壁を形成することを特徴とする請求項１に記載の補強土壁工法。
【請求項３】
前記ジオセル内に盛土される土砂に対して転圧処理が行われ、該ジオセル内の土砂が高い密度で盛土されており、前記ジオセル前面に形成された前記帯部材と植生マットで囲まれた空間の土砂が、少なくとも前記ジオセル内の土砂よりも低い密度で盛土されていることを特徴とする請求項１または２に記載の補強土壁工法。
【請求項４】
前記植生マットがワラ芝であり、該ワラ芝の表面を金網で被覆した状態で前記帯部材における非接合部位に該ワラ芝及び該金網を固着することを特徴とする請求項１ないし３のいずれかに記載の補強土壁工法。
【請求項５】
前記積層されるジオセルは、下方位置のジオセルの土砂拘束部に、上方位置のジオセルの土砂拘束部の少なくとも一部が被るように配置されることを特徴とする請求項１ないし４のいずれかに記載の補強土壁工法。
【請求項６】
前記ジオセルの帯部材の表面には、微小な凹凸部が形成されることを特徴とする請求項１ないし５のいずれかに記載の補強土壁工法。
【発明の詳細な説明】
【技術分野】
【０００１】
本発明は、壁面材を積層させて擁壁を形成し、該擁壁により土壁を補強する補強土壁工法及び壁面材に係り、特に壁面緑化に適した補強土壁工法に関する。
【背景技術】
【０００２】
従来、道路や敷地などに面している土壁に擁壁を形成して補強する補強土壁工法が用いられている。この補強土壁工法には、盛土や切土にアンカー孔を削孔し、このアンカー孔にコンクリートを注入して、引張材の先端をコンクリートに差し込むとともに、その上端部をアンカー孔から導出して、コンクリート板で形成された受圧板（壁面材）を定着させるようにしている（例えば、特許文献１参照）。
【先行技術文献】
【特許文献】
【０００３】
【特許文献１】特許第３５５６６０７号公報（第２，３頁、第１，４，５図）
【発明の概要】
【発明が解決しようとする課題】
【０００４】
しかしながら、特許文献１に記載の工法にあっては、重量のあるコンクリート製の受圧板（壁面材）を用いて工事を行うため、この重量のある壁面材を拘束する充分な強度を確保するために、受圧板（壁面材）の厚みを増大させるとともに、引張材を土中深く差し込み、擁壁の背面距離を大きくする必要があり、施工コストが嵩むという問題がある。
【０００５】
また、コンクリートを利用する場合、受圧板（壁面材）の厚みが影響して緑化部として利用する土が十分に露出しないため、壁面緑化を十分に行えずに見栄えが悪いといった問題があった。特に自然侵入する在来植物（在来種）が遷移するまでに２，３年程度の期間を要すといった事情もあり、その間の壁面緑化が望まれている。
【０００６】
本発明は、このような問題点に着目してなされたもので、擁壁の背面距離を小さくして施工コストを低減させることができるばかりか、在来植物（在来種）が遷移するまでの間、仮の緑化部を確保して短期間に育つ植物を植生することにより、在来植物（在来種）が遷移するまでの間、仮の緑化部を確保できる補強土壁工法を提供することを目的とする。
【課題を解決するための手段】
【０００７】
前記課題を解決するために、本発明の補強土壁工法は、
壁面材を積層させて擁壁を形成し、該擁壁により土壁を補強する補強土壁工法であって、
前記壁面材は、複数の略帯状をなす帯部材が所定間隔毎に接合されて形成され、該帯部材同士の非接合部位が互いに離間されることで土砂を拘束する土砂拘束部を形成できるジオセルで構成され、最前列に位置する複数の前記帯部材における非接合部位に植生マットを固着し、前記ジオセルの前面に前記帯部材と植生マットで囲まれた空間を形成し、この空間に土砂を盛土することを特徴としている。
この特徴によれば、壁面材が複数の略帯状をなす帯部材で形成されたジオセルで土砂を拘束するため、擁壁の背面距離を小さくすることができるようになり、擁壁の施工コストを低減させることができる。また、帯部材がジオセルで構成されることにより、帯部材の最前列の部位において蛇行する構造となるため、複数の帯部材における非接合部位に植生マットを固着することにより、ジオセルの前面に帯部材と植生マットで囲まれた空間を形成できる。この空間に土砂を盛土し、短期間に育つ植物を植生することにより、在来植物（在来種）が遷移するまでの間、仮の緑化部を確保できることになる。また、帯部材の前面には、前述した植生マットで囲まれた空間に盛り土された土砂が設けられているため、帯部材の表面が露出せず、雨水の流速を抑え、ジオセル内に盛土された土砂の早急な流出を阻止することができる。
【０００８】
前記積層されるジオセルの間に、略格子状をなすシート部材で形成されたジオグリッドの前部側を挟み込み、該ジオグリッドの後部側を盛土内に埋設して前記擁壁を形成することを特徴としている。
この特徴によれば、壁面材が複数の略帯状をなす帯部材で形成されたジオセルで土砂を拘束させ、かつジオグリッドにより盛土の荷重を利用してジオセルの積層状態を拘束するため、擁壁の背面距離を小さくすることができるようになり、擁壁の施工コストを低減させることができる。
【０００９】
本発明の補強土壁工法は、
前記ジオセル内に盛土される土砂に対して転圧処理が行われ、該ジオセル内の土砂が高い密度で盛土されており、前記ジオセル前面に形成された前記帯部材と植生マットで囲まれた空間の土砂が、少なくとも前記ジオセル内の土砂よりも低い密度で盛土されていることを特徴としている。
この特徴によれば、ジオセル内に盛土された土砂が転圧処理されることにより、擁壁の強度が高められ、土砂の流出を防ぐとともに、帯部材と植生マットで囲まれた空間内の土砂は、時間の経過とともに下方に位置するジオセル内に盛土される土砂表面に流れ、本来、在来植物（在来種）が遷移するジオセル内の土砂を肥沃化できることになる。
【００１０】
本発明の補強土壁工法は、
前記植生マットがワラ芝であり、該ワラ芝の表面を金網で被覆した状態で前記帯部材における非接合部位に該ワラ芝及び該金網を固着することを特徴としている。
この特徴によれば、帯部材と植生マットで囲まれた空間が充分に確保され、かつワラ芝や金網が時間の経過とともに腐食して自然回帰することにより、在来植物（在来種）が完全に遷移した時期に、仮の緑化部が消失することになる。
【００１１】
本発明の補強土壁工法は、
前記積層されるジオセルは、下方位置のジオセルの土砂拘束部に、上方位置のジオセルの土砂拘束部の少なくとも一部が被るように配置されることを特徴としている。
この特徴によれば、各ジオセルの土砂拘束部内の土砂を介してジオセル同士が連結され、擁壁の強度を向上させることができるばかりか、両者のズレにより、前記帯部材と植生マットで囲まれた空間の土砂が、時間の経過とともに下方に位置するジオセル内に盛土される土砂表面に流れ易くなる。
【００１２】
本発明の補強土壁工法は、
前記ジオセルの帯部材の表面には、微小な凹凸部が形成されることを特徴としている。
この特徴によれば、微小な凹凸部が、土砂拘束部内の土砂とジオセルとの間の摩擦力を向上させて擁壁の強度を向上させることができるばかりか、帯部材と植生マットで囲まれた空間内の土砂とジオセルとの間の摩擦力を向上させて土砂の早急な流出を阻止できることになる。
【図面の簡単な説明】
【００１３】
【図１】実施例１における擁壁を示す断面図である。
【図２】ジオセルを示す斜視図である。
【図３】ジオセルが積層した状態を示す斜視図である。
【図４】ワラ芝植物が植生した状態を示す断面図である。
【図５】在来種の植物が遷移した状態を示す断面図である。
【図６】帯部材に設けられた凹凸および貫通孔を示す拡大断面図である。
【図７】実施例２におけるワラ芝植物が植生した状態を示す断面図である。
【図８】実施例３におけるジオセルを示す斜視図である。
【発明を実施するための形態】
【００１４】
本発明に係る補強土壁工法を実施するための形態を実施例に基づいて以下に説明する。
【実施例１】
【００１５】
実施例１に係る補強土壁工法につき、図１から図４を参照して説明する。以下、図１及び図４の紙面左側を擁壁の正面側（前方側）とし、図２及び図３の紙面左下側を擁壁の正面側（前方側）として説明する。
【００１６】
図１の符号１は、本発明の適用された擁壁である。この擁壁１は、道路や敷地などに面している土壁２の正面全体を覆うように形成されている。この擁壁１は、擁壁１の壁面を形成する本発明の壁面材としてのジオセル３と、補強材としてのジオグリッド４と、を用いて施工される。
【００１７】
さらにジオセル３の正面（前面）には、ワラ芝２０および金網２１が固着されている。なお、ワラ芝２０が本発明における植生マットとなっており、このワラ芝２０は、スダレ状に形成されたワラの表面に薄綿と植物種が付けられている。この植物種は、短期間に育つ芝等の植物の種となっており、施工完了後には、ワラ芝２０の表面に短期間（約２〜３ヶ月）でワラ芝植物が生えるようになっている。
【００１８】
図２に示すように、ジオセル３は、合成樹脂等の可撓性を有する材料で形成された複数枚の略帯状をなす帯部材５により構成されている。本実施例では、前後方向に６枚の帯部材５が設けられ、これらの帯部材５がその幅方向が垂直を向くように配置されており、互いに帯部材５が積層配置された状態で、その長手方向の所定間隔毎に接合されている。この接合部位は、圧力を加えながら溶着（若しくは圧着）される溶着部６（圧着部）となっている。
【００１９】
ジオセル３は前後方向に広げると、帯部材５同士の非接合部位が互いに離間されることで土砂を拘束する土砂拘束部７を形成できる。この土砂拘束部７は、千鳥状またはハニカム状に配置されるようになっている。この土砂拘束部７内に、土砂を入れて転圧処理により締め固め（図３参照）、ジオセル３及び土砂により上下に厚い板状の層構造に形成できるようになっている。
【００２０】
図２に示すように、金網２１とジオセル３の最前列に挟まれるようにしてワラ芝２０が配置され、ワラ芝２０および金網２１がジオセル３の最前列に位置する複数の帯部材５における非接合部位にステイプル２２により固着されるようになっている。こうしてワラ芝の固着によりジオセル３の前面側にワラ芝２０と帯部材５とに囲まれた空間２３が形成され、この空間２３に土砂を盛土し、短期間に育つワラ芝植物を植生することにより、在来植物（在来種）が遷移するまでの間、仮の緑化部を確保できることになる（図４参照）。
【００２１】
また、帯部材５は合成樹脂等の材料で形成されているため、雨天時の雨水が帯部材５の表面を急速に流れてしまう恐れがあるが、帯部材５の正面には前述したワラ芝２０、金網２１および空間２３に盛り土された土砂が設けられているため、帯部材５の表面が露出せず、雨水の流速を抑え、ジオセル３内に盛土された土砂の早急な流出を阻止することができる。
【００２２】
また、ワラ芝２０や金網２１が時間の経過とともに腐食して自然回帰することにより、在来植物（在来種）が完全に遷移した時期に、仮の緑化部が消失することになる（図５参照）。このとき植生マットは、ワラ芝２０に限らず、例えば、ココナッツファイバー等や生分解性プラスチック糸等を利用したものであっても良い。
【００２３】
このジオセル３の帯部材５には、複数の小さな貫通孔８が形成されており、互いの土砂拘束部７が貫通孔８により連通される。なお、ジオセル３の最前列に位置する帯部材５には、貫通孔８は形成されておらず、土砂拘束部７内の土砂が流出しないようになっているため、在来植物（在来種）が遷移するジオセル３内の土砂と、仮の緑化部とを区別して配置されることになり、互いの干渉がなく長期間にわたって緑化が可能となる。
【００２４】
また、ジオセル３内に盛土される土砂に対しては転圧処理が行われ、土砂が高い密度で盛土されており、ジオセル３前面に形成された帯部材５とワラ芝２０で囲まれた空間２３内の土砂が、少なくともジオセル３内の土砂よりも低い密度で盛土されている。これによれば、ジオセル３内に盛土された土砂が転圧処理により強度が高められ、土砂の流出を防ぐとともに、空間２３内の土砂が時間の経過とともに下方に位置するジオセル３内に盛土される土砂表面に流れ、本来在来植物（在来種）が遷移するジオセル３内の土砂を肥沃化できることになる。
【００２５】
図３に示すように、施工する際には、ジオセル３の土砂拘束部７に土砂を入れつつ、この土砂とともにジオセル３を積層させる。また、積層されるジオセル３は、下方位置のジオセル３の土砂拘束部７に、上方位置のジオセル３の土砂拘束部７の少なくとも一部が被るように配置される。
【００２６】
図１に示すように、本実施例では、各ジオセル３の前後方向に複数の土砂拘束部７が形成され、下方位置のジオセル３の最前の土砂拘束部７に、その上方位置のジオセル３の最前の土砂拘束部７の略半分程の領域が被さるようになっている。このように、各ジオセル３の土砂拘束部７内の土砂を介してジオセル３同士が連結され、擁壁１の強度を向上させることができる。さらに、両者のズレにより、帯部材５とワラ芝２０で囲まれた空間２３の土砂が、時間の経過とともに下方に位置するジオセル３内に盛土される土砂表面に流れ易くなる。
【００２７】
なお、ジオセル３の土砂拘束部７には、施工現場で採取した土砂内に生息するものと同じ植物１１を植生するため、在来種がジオセル３の土砂拘束部７内で自生するようになる。施工後において、所定期間経過すると、ジオセル３の土砂拘束部７内で成長した植物１１の根１２が、帯部材５の貫通孔８に入り込み（図６参照）、帯部材５に絡みつくようになる。そして、この帯部材５に絡みついた植物１１の根１２が土中深くまで延びる。
【００２８】
また、図６に示すように、ジオセル３の帯部材５の表面には、エンボス加工が施され、微小な凹凸部１３（エンボス）が形成される。この微小な凹凸部１３が土砂拘束部７内の土砂とジオセル３との間の摩擦力を向上させて、擁壁１の強度を向上させることができる。さらに、帯部材５の貫通孔８には、土砂が入り込むようになり、この貫通孔８が土砂拘束部７内の土砂とジオセル３との間の摩擦力を向上させて、擁壁１の強度を向上させることができる。また、空間２３内の土砂とジオセル３表面との間の摩擦力を向上させて土砂の早急な流出を阻止できることになる。
【００２９】
このように、擁壁１の壁面材が複数の略帯状をなす帯部材５で形成されたジオセル３となっていることで、壁面材が軽量化されて搬送が容易なり、壁面材が軽量なジオセル３となっても、ジオセル３の土砂拘束部７に土砂を拘束させることで、擁壁１の強度を充分に保つことができるようになり、かつ軽量化されたジオセル３により盛土９を拘束して壁面を形成しつつ、ジオグリッド４により盛土９の荷重を利用してジオセル３の積層状態を拘束するため、擁壁１の壁面から土壁２までの背面距離Ｌ（図１参照）を小さくすることができるようになり、擁壁１の施工コストを低減させることができる。なお、擁壁１の背面距離Ｌが小さいことで、擁壁１の形成対象となっている土壁２の正面を深く掘る必要がなくなり、施工期間を短縮することもできる。また、積層されるジオセル３の間に、略格子状をなすシート部材で形成されたジオグリッド４の前部側を挟み込むことで施工を行えるため、ジオセル３とジオグリッド４との連結作業を、連結用アンカーなどの別途の連結部材等を用いることなく行えるようになり、施工作業が簡素化される。
【実施例２】
【００３０】
次に、実施例２に係る補強土壁工法につき、図７を参照して説明する。尚、前記実施例と同一構成で重複する構成を省略する。
【００３１】
図７に示すように、ワラ芝２０１（植生マット）がジオセル３の高さより高く構成され、ジオセル３の土砂拘束部７およびジオセル３の前面側の空間２３を覆うようになっている。
【００３２】
これによれば、空間２３がワラ芝２０１により覆われているため、空間２３の土砂部分が露出せず、見栄えを保つことができる。また、ワラ芝２０１がジオセル３の高さより高く構成されているため、大雨が降った場合に空間２３表面を流れる雨水を、ワラ芝２０１が押さえ、土砂の早急な流出を阻止することができる。
【実施例３】
【００３３】
次に、実施例３に係る補強土壁工法につき、図８を参照して説明する。尚、前記実施例と同一構成で重複する構成を省略する。
【００３４】
図８に示すように、ジオセル３は、前記実施例１と異なり、前後反対に設置可能となっている。この場合には、貫通孔８がジオセル３正面側に向くよう設置される。
【００３５】
この実施例３によれば、ワラ芝２０および、空間２３に植生した植物１１の根（図示せず）が貫通孔８を通してジオセル３内の土砂まで伸ばすことができ、ワラ芝２０および植物１１の成長を促進させることができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、ジオセル３の土砂拘束部７内に、施工現場で採取した土砂を入れることで、その土砂内に生息する植物１１の在来種がジオセル３の土砂拘束部７内で自生するようになっているが、土砂拘束部７に自生させる植物１１は在来種に限らず、他の種であってもよく、特に蔦等のジオセル３の正面側に絡みつく植物であってもよい。
【００３８】
また、前記実施例では、補強材としてのジオグリッド４を使用しているが、必ずしもジオグリッド４を使用しなくてもよく、例えば、ジオセル３、ワラ芝２０、および金網２１のみによって擁壁１を施工するようにしてもよい。
【符号の説明】
【００３９】
１                擁壁
２                土壁
３                ジオセル（壁面材）
４                ジオグリッド（補強材）
５                帯部材
６                溶着部
７                土砂拘束部
８                貫通孔
９                盛土
１１              植物
１２              根
１３              凹凸部
２０              ワラ芝（植生マット）
２１              金網
２２              ステイプル
２３              空間
【図１】
2013053427.tif 000003
【図２】
2013053427.tif 000004
【図３】
2013053427.tif 000005
【図４】
2013053427.tif 000006
【図５】
2013053427.tif 000007
【図６】
2013053427.tif 000008
【図７】
2013053427.tif 000009
【図８】
2013053427.tif 000010